(57)【要約】【課題】  人やペット等が摂取すると中毒を起こす誘引剤を安全に使用可能とし、維持管理手間と消耗品が少なく、軟体動物の腐敗臭が発生しない捕獲器の提供を目的とする。【解決手段】  軟体動物の感覚器を麻痺させることで危険回避能力を低下させて体液分泌反応を生じる物質の回避を失敗させるために、捕獲器内に配置した誘引剤を軟体動物に摂取させるか、芳香貯留部８に溜まった誘引剤の芳香を暴露させるか、もしくは併用する軟体動物の捕獲器である。誘引剤を感覚器麻痺にも使用する。感覚器が麻痺した軟体動物は体液分泌反応を生じる物質の回避に失敗し、脱水死もしくは水死する。体液分泌反応を生じる物質として１０質量％以上、過飽和もしくは顆粒状の塩化物を使用することで軟体動物を防腐する。人やペット等の誘引剤との接触防止のために芳香のみが通過する通気スクリーン１９を誘引剤容器５の開口部に配置する。【選択図】    図１
2007151538.tif 000002
【特許請求の範囲】
【請求項１】
感覚器麻痺剤を兼ねる誘引剤によって軟体動物の感覚器を麻痺させることで危険回避能力を低下させ体液分泌反応を生じる物質の回避を失敗させるために、捕獲器内に配置した誘引剤を軟体動物に摂取させるか、芳香貯留部８に溜まった誘引剤の芳香を暴露させるか、もしくは併用する軟体動物捕獲器。
【請求項２】
メタアルデヒドやパラアルデヒド、エタノールを単独もしくは組み合わせて感覚器麻痺剤を兼ねる誘引剤として使用する請求項１記載の軟体動物捕獲器。
【請求項３】
体液分泌反応を生じる物質を兼ねて捕獲した軟体動物を防腐するために１０質量％以上、過飽和もしくは顆粒状の塩化物を使用する請求項１記載の軟体動物捕獲器。
【請求項４】
開口部に通気スクリーン１９を設けた誘引剤容器５を使用する請求項１記載の軟体動物捕獲器。
【発明の詳細な説明】
【技術分野】
【０００１】
この発明は軟体動物捕獲器に関する。
【背景技術】
【０００２】
メタアルデヒドは低濃度のアセトアルデヒドの果実様の芳香を蒸散させて軟体動物を誘引し、摂取すると中毒死する誘引剤として利用されているが、芳香の効果として感覚器麻痺による危険回避能力低下は知られていなかった。また、中毒量の誘引剤を摂取しない場合にも感覚器を麻痺させることで危険回避能力を低下させることで捕獲する方法は知られていなかった。
【０００３】
塩は軟体動物が体液分泌反応を生じる物質であり、接触を忌避することが知られているが、軟体動物を防腐する目的で捕獲器には使用されていなかった。
【０００４】
塩水や石鹸水に完熟果物や野菜を浮かべて誘引する捕獲器があった（例えば非特許文献１参照。）。
感覚器を麻痺させて駆除する誘引剤があった（例えば特許文献１参照。）。
表面を塩で薄く覆ったボール紙等に誘引剤を置き、塩による脱水死か誘引剤を摂取させ中毒死させる捕獲器があった（例えば特許文献２参照。）。 
誘引剤を捕獲器の上部に配置し、捕獲皿で毒剤を摂取させる捕獲器があった。（例えば特許文献３参照。）。
誘引し落下させる装置で水死させる捕獲器があった（例えば特許文献４参照。）。
カバーで遮光し、複数の穴を設けた捕獲器があった（例えば特許文献５参照。）。
【０００５】
【非特許文献１】Directions for use The Bait Safe,[online],Rob Harvey Specialist Feeds,[retrieved on 2005-11-3],Retrieved from the Internet:<URL:http://www.robharvey.com/pest-control/slug-control.htm>.
【特許文献１】特開２００２−２７５００４号公報
【特許文献２】ＤＥ１０１５０５６７号公報
【特許文献３】特開平０９−９８７０３号公報
【特許文献４】特開２００２−２７８８８号公報
【特許文献５】ＵＳ５６２２００１号公報
【発明の開示】
【発明が解決しようとする課題】
【０００６】
従来は軟体動物の誘引剤で人やペット、野生生物が中毒を起こす危険があり、軟体動物と誘引剤を処理する際に環境に放出する恐れがあった。捕獲器は数日間隔で洗浄を要し、洗浄漏れがあると腐敗臭を発生し蝿を誘引し繁殖させたり、捕獲器周辺で中毒死し腐敗する場合があった。
【０００７】
この発明は、人やペット等が摂取すると中毒を起こす誘引剤を安全に使用し、維持管理手間と消耗品が少なく、捕獲した軟体動物の腐敗臭が発生しない捕獲器を提供することを目的とする。
【課題を解決するための手段】
【０００８】
本発明は上記目的を達成するために、第１の課題解決手段として、感覚器麻痺剤を兼ねる誘引剤によって軟体動物の感覚器を麻痺させることで危険回避能力を低下させ体液分泌反応を生じる物質の回避を失敗させるために、捕獲器内に配置した誘引剤を軟体動物に摂取させるか、芳香貯留部８に溜まった誘引剤の芳香を暴露させるか、もしくは併用する軟体動物捕獲器を提供する。
【０００９】
第２の課題解決手段は、メタアルデヒドやパラアルデヒド、エタノールを単独もしくは組み合わせて感覚器麻痺剤を兼ねる誘引剤として使用するものである。
【００１０】
第３の課題解決手段は、体液分泌反応を生じる物質を兼ねて捕獲した軟体動物を防腐するために１０質量％以上、過飽和もしくは顆粒状の塩化物を使用するものである。
【００１１】
第４の課題解決手段は、開口部に通気スクリーン１９を設けた誘引剤容器５を使用するものである。
【発明の効果】
【００１２】
第１の課題解決手段によれば、芳香貯留部８に溜まった誘引剤の芳香は、軟体動物の感覚器を麻痺させ、危険回避能力を低下させる。また、誘引剤を摂取した軟体動物は感覚器が麻痺し危険回避能力が低下する。危険回避能力の低下のため体液分泌反応を生じる物質との接触で回避に失敗する。軟体動物の体内塩分濃度の倍程度である１質量％以上の濃度の塩化物が体液分泌反応を生じる物質として使用できる。石鹸水等も体液分泌反応を生じさせることができるが、合成洗剤の毒性や難分解性の化学物質である逆性石鹸の場合は土壌汚染や河川等への流入や農作物への付着の危険を考慮する必要がある。
【００１３】
軟体動物は感覚器が麻痺して高濃度芳香を浴びたり、長時間芳香を浴びて、動けなくなる。従来は誘引剤の低濃度芳香は誘引作用に利用されてきたが、本発明では芳香貯留部８を設けて、誘引剤の芳香を感覚器麻痺剤として利用する。また、誘引剤を摂取させる場合においても感覚器麻痺剤として感覚器が麻痺すれば良く、中毒死に必要な致死量を摂取させる必要がない。傾斜した棚に置いた粉状の誘引剤に乗り滑り落ちたり、水に浮かべた野菜等に軟体動物が乗ることで沈んだり、軟体動物の自重で回転や変形するなどの装置がなくても捕獲することができる。
【００１４】
ただし、芳香放出量が多い場合や必要以上に防風した場合は強い刺激から忌避反応を起こして捕獲器内に軟体動物が入らなくなる。忌避反応を回避するには次の方法がある。
（イ）芳香放出量を制限する。
（ロ）低濃度芳香で感覚器を麻痺させることで、より高濃度を求めて移動できるように防風構造を形成する。
（ハ）誘引剤を入口部６よりも低い位置に配置する。
【００１５】
軟体動物と同様に花芽や発芽した芽を食害するダンゴムシも芳香に誘引される。ただし、ダンゴムシは軟体動物よりも低濃度の芳香で忌避反応を示す。ダンゴムシが捕獲される場合は誘引剤の芳香発生量減少の目安とすることも可能である。なお、低濃度芳香の場合で誘引剤を入口部６よりも低い位置に配置したときは軟体動物とダンゴムシの両方を捕獲する場合がある。
【００１６】
誘引剤を捕獲器内の上部に配置することで、芳香の比重が空気よりも重いため芳香貯留部８の芳香濃度を上昇させることができる。入口部６を誘引剤より低い位置に設ける場合に、空気が対流して芳香が入口部から流れ出すため、芳香の拡散にも効果がある。誘引剤を芳香貯留部８の壁面などの入口部より低い位置に設ける場合は、空気の対流による捕獲器外への芳香の放出が少なくなるが、捕獲器上部１の芳香濃度は低くなるため捕獲器上部に軟体動物が侵入しやすくなる。この場合は体液分泌反応を生じる物質に軟体動物が接近するため、体液分泌反応を生じる物質と接触する機会が増加する。ただし、誘引剤が体液分泌反応を生じる物質に浸かる恐れがある。
【００１７】
誘引剤を捕獲器上部１に配置し、配置した面を天井面にて下向きもしくは壁面にて横向きとし摂取させる場合に中毒死した軟体動物は落下するため誘引剤の劣化が少ない。摂取し徘徊する場合は、感覚器麻痺のため、体液分泌反応を生じる物質の回避に失敗し、水死もしくは脱水死する。
【００１８】
誘引剤の芳香濃度を適度に維持するために次のような構造を用いる。
ビン構造は入口部６を芳香貯留部８の径より狭くすることで換気量を少なくすることができる。入口部６を１カ所とする場合は複数の場合に生じる換気効果を防止できる。風による部分的な換気と、芳香の比重による対流で、芳香貯留部８の上部を低濃度、下部を高濃度とすることができる。
【００１９】
入口部６に開口部が入口部６より低い位置となる防風通路１０を設けることで、芳香貯留部８に風が直接吹き込まないようにできる。防風通路１０の開口部を入口部６より低くすることで芳香が対流するため、軟体動物は芳香貯留部８に移動することができる。
【００２０】
防風カバー１１は、捕獲器に直接風があたらないように覆うことで、芳香貯留部８の芳香を保つことができる。入口１３を防風カバー１１の下部に設けて芳香を防風カバー１１の外に拡散させる。芳香濃度は芳香貯留部８の上部を低濃度、芳香貯留部８の下部を高濃度とすることができる。入口１３は複数設けても良い。また、防風カバー１１の上部に誘引剤装填部３を配置し、下に芳香貯留部８を配置しても良い。
【００２１】
第２の課題解決手段によれば、感覚器麻痺剤を兼ねる誘引剤にはメタアルデヒドやパラアルデヒドもしくはエタノールを単独もしくは組み合わせて使用できる。メタアルデヒドやパラアルデヒドはゆっくりアセトアルデヒドを放出する。エタノールは感覚器や呼吸器もしくは体表から吸収されて体内で分解されアセトアルデヒドとなる。エタノールは蒸散しやすいため透過膜を介してゆっくり蒸散させる等の工夫が必要となる。なお、芳香性のある化合物は感覚器麻痺作用のあるものが多いが、毒性や難分解性などで農業資材として不適切なものは用いないことが望ましい。
【００２２】
第３の課題解決手段によれば、体液分泌反応を生じる物質を兼ねて１０質量％以上、過飽和もしくは顆粒状の塩化物を使用することで捕獲した軟体動物を防腐するものである。１０質量％以上の場合は微生物の増殖を抑制する効果がある。軟体動物の体内塩分濃度の倍程度である１質量％以上の濃度の塩化物も体液分泌反応を生じるが、１０質量％以下の場合は腐敗する。腐敗臭は軟体動物を忌避させ、蝿を誘引し繁殖させる場合がある。イーストを混合した塩水を誘引剤として使用する場合は、発酵させるために腐敗を防ぐ塩化物の濃度では使用されていなかった。石鹸液や塩水にレタス等を浮かべたたり、ビールを使用する捕獲器では腐敗のため数日間隔で洗浄する必要があった。
【００２３】
捕獲器設置後の捕獲量の多い時期は１０質量％以上もしくは過飽和の塩化物水溶液を使用する。捕獲量が少なくなった場合は顆粒状の塩化物が使用できる。防腐することで捕獲器の洗浄等の維持管理手間を軽減できる。ただし、蛾等の鱗粉等が塩水面に浮かんだ場合はカビが繁殖する場合があるため、捕獲量が減少した時期であっても月に１回は洗浄することが望ましい。体液分泌反応を生じる物質が水溶液の場合は粘液で覆われた体表を持つ軟体動物の触角が水面に触れることで水面を吸い上げてしまうために回避が難しくなる。
【００２４】
塩化物には食塩やにがりが使用できる。天日製塩法による塩の場合は好塩性微生物が混入する場合があるため使用を避ける。１０質量％以上の塩化物は食中毒菌等の耐塩性微生物の繁殖を防ぐことができる。微生物による芳香の分解抑制も期待できる。
【００２５】
第４の課題解決手段によれば、開口部に通気スクリーン１９を設けた誘引剤容器５を使用することで次の効果が得られる。
（イ）装填、交換時に手指に誘引剤が付着しないため、農作物等の汚染を防ぐ。
（ロ）誘引剤をペット等が摂取できないため中毒を防ぐ。
（ハ）軟体動物の体液等による誘引剤の劣化を防ぐ。
（ニ）誘引剤を容器から出さないことで河川等への流出を防ぐ。
（ホ）誘引剤を摂取させないため、誘引剤の装填量を削減できる。
【発明を実施するための最良の形態】
【００２６】
以下、本発明の実施の形態を説明する。
【００２７】
図１、２は入口部６を芳香貯留部８の径より狭くするビン構造とすることで風の吹き込み量を少なくし、入口部６を１カ所とすることで風よる換気が少ない防風構造を持つ捕獲器の実施形態である。
【００２８】
１は捕獲器上部、２は捕獲器下部であり、芳香が漏れないように接続する。
【００２９】
３は誘引剤装填部、５は誘引剤容器、１８は誘引剤、１９は通気スクリーン、４は誘引剤装填部蓋である。誘引剤装填部蓋４は捕獲器上部１に接続する。
【００３０】
７は進入防止スクリーンであり、誘引剤装填部３から降下する芳香の通気を妨げず、軟体動物が通過できない目の大きさとする。
【００３１】
６は入口部であり、雨水や農作物等への灌水が捕獲器内部に入るのを防ぐ。入口部６の形状により捕獲器内に直接風が吹き込むのを軽減することができる。入口部６が１つの場合は換気を軽減できる。芳香放出量が多い場合は入口部６を複数設けても良い。
【００３２】
８は芳香貯留部であり、誘引剤装填部３から降下する芳香を溜める。芳香貯留部８には塩化物を配置する。軟体動物は芳香貯留部８に溜めた芳香による感覚器の麻痺のため、危険回避能力が低下した状態で徘徊し、塩化物に接触し脱水死もしくは水死する。
【００３３】
捕獲量が多い時期は１０質量％以上の濃度を保つために塩化物を追加しておく。捕獲量が減少した場合は芳香貯留部８に顆粒状の塩化物が使用できる。
【００３４】
芳香貯留部８の容積が５００ｍｌの例では、食塩を塩化物として使用する場合は５０ｍｌの水に対し、２０ｇの食塩を入れて過飽和食塩水とする。水位が容積の４０％の位置に達した場合は塩化物の濃度が１０質量％に低下して腐敗の危険が生じるため、捕獲した軟体動物を処分し洗浄する。５ｇの食塩では水位が容積の１０％の位置に達した場合は腐敗の危険が生じる。水溶液が濁った場合や捕獲した軟体動物が吸水して膨らんだ場合は腐敗の恐れがあるため軟体動物を処分し洗浄する。
【００３５】
芳香貯留部８は捕獲器下部２から取り出し洗浄することができる。芳香貯留部８と捕獲器下部２は一体形成でも良い。芳香貯留部８に配置する塩化物が周辺土壌に混入した場合は、農作物によっては生育に影響が出る場合があるため、廃棄は適切に処理する必要がある。
【００３６】
９は転倒防止用板であり、底辺を広げることで転倒を防止する。捕獲器下部を土に埋めて設置する場合は引き抜き抵抗を生じるため、安定して設置できる。この場合、入口部６の地上高が低くなるため、ダンゴムシが捕獲器内に進入しやすくなる。
【００３７】
進入防止スクリーン７や誘引剤容器５のかわりに誘引剤をのり等で固定し軟体動物が摂取できるように下向きもしくは横向きに配置することもできる。摂取し中毒死した軟体動物は落下する。摂取により感覚器が麻痺した場合は塩化物の回避に失敗する。誘引剤を摂取できる捕獲器の場合は極少量の誘引剤を配置する限定的な使用が望ましい。
【００３８】
図３、４は図１、２に示す実施形態の捕獲器に、芳香貯留部８の芳香が風で拡散するのを軽減するために入口部６に防風通路を設けた実施形態である。１０は防風通路である。
【００３９】
図５、６は捕獲器を覆う防風カバー１１を設置した実施形態である。１１は防風カバーである。１２は防風カバーの底蓋である。１３は防風カバー１１内に軟体動物が入る入口である。防風カバー１１の底蓋１２と芳香貯留部８は一体形成でも良い。
【００４０】
図７、８は防風カバー１１の内部に誘引剤装填部３を固定し、その下に入口部６のスリットを設けた芳香貯留部８を配置した実施形態である。ただし、誘引剤装填部３の壁面と芳香貯留部８の上端は隙間を無くし、軟体動物が芳香貯留部８に移動できるように配置する。
【００４１】
誘引剤装填部３を捕獲器の内部に形成することで、ペット等による破壊が困難となる。この装填方法は図１から図６の実施形態においても採用できる。
【００４２】
防風カバー１１の形状の例としては、内部に捕獲器を構成できる空間があれば良いため、庭を飾るオブジェとして人、動物、家、乗物、切り株、岩など任意の形態とすることができる。
【００４３】
図９、１０は陶磁器製などの防風カバーの内部に取り付けて使用する捕獲器である。１４はフック。１５は押さえ板、１６はネジである。防風カバーの内部に捕獲器を取り付ける突起を設けて、固定する。１７は誘導路である。陶磁器製などのカバーへの捕獲器の取り付け位置により芳香貯留部８が地面から離れてしまう場合に、軟体動物が捕獲器に移行するための通路である。柔軟な材質とし、地面から芳香貯留部８までの距離にあわせる。
【００４４】
図１１は図７から図１０の誘引剤装填部蓋４に芳香放出量調整用の絞りを取り付けた例である。
２１は絞りである。通気部と遮蔽部との組み合わせによって芳香放出量の多い誘引剤容器５の場合の芳香放出量の調整に用いる。誘引剤容器５を装填後、数日間は絞り２１を絞ることで忌避反応が生じないようにする。
【００４５】
図１２、１３は捕獲器に用いる誘引剤容器５の説明図である。
【００４６】
１９は通気スクリーンである。通気性があり、細かな穴の開いた板もしくは網、不織布等を用いる。
【００４７】
２０は誘引剤容器蓋である。誘引剤容器５を装填するときに取り除く。通気性のないフィルムなどを開口部に粘着剤等で固定し、保管中に薬剤が蒸散するのを防ぐ。
【００４８】
１８は誘引剤である。誘引剤容器５への具体的な誘引剤１８の充填手法の一例は、
（イ）樹脂を原料に布もしくは不織布の袋を作り誘引剤を封入する。
（ロ）（イ）の袋を誘引剤容器５に熱溶接等し固定する。
（ハ）通気スクリーン１９として網状の樹脂を誘引剤容器５の開口部に熱溶接等する。
（ニ）誘引剤容器５の開口部に粘着剤等で誘引剤容器蓋２０を取り付ける。
以上のごとく誘引剤に直接触れることのない誘引剤容器５を構成する。また、誘引剤容器５と誘引剤装填部蓋４とを一体形成して誘引剤を直接装填し、通気スクリーン１９を設けても良い。
【００４９】
誘引剤１８はメタアルデヒドを主剤とする。吸湿し、カビ発生や酵母、乳酸菌発酵しやすい有機物はメタアルデヒドの消耗を早めるので混合しない方が望ましい。成形加工の便のために粘土類を混合しても良い。芳香放出量が多過ぎる場合は軟体動物を忌避させるため、長期に渡り緩やかに芳香を放出するように加工する場合は多孔質材料の混合を少なくし、グリセリン等の増粘剤の混合により芳香発生量を調整する。なお、ペット等の摂取防止に催吐剤等を配合しても良い。ただし、軟体動物が忌避する臭気のないものとする。
【００５０】
図１から図１０に示す捕獲器では誘引剤装填部３を天井面に取り付けた図示であるが、芳香貯留部８の壁面に設けても良い。この場合は誘引剤が体液分泌反応を生じる物質と接近するため軟体動物が接触する機会が増加する。また、誘引剤容器５を使用せずに、図１、２に示す進入防止スクリーン７に市販の誘引剤を装填する場合も軟体動物を捕獲することができる。なお、軟体動物が誘引剤を摂取できる捕獲器とする場合は、誘引剤の装填量は極少量にとどめることが望ましい。
【００５１】
捕獲器の材質や塗料等は軟体動物が忌避するホルムアルデヒド等を含まないかもしくは影響がないものを用いる。アセトアルデヒドは腐食性ガスであるため、銅等の金属材料は使用を避ける。
【００５２】
換気窓や排気ファンなどの近くは捕獲器の設置を避ける。風の凪いだ状態では、芳香はより低い方に流れるため、捕獲器は地表凸部への設置が望ましい。
【実施例】
【００５３】
図１、２を簡略化した実験用捕獲器を用いて、捕獲した軟体動物を処理せずに約１ヶ月放置する実験を行った。設置から約１ヶ月後、誘引剤は替えずに、芳香貯留部８を洗浄し、２０ｇの顆粒状食塩を配置し同一設置場所に設置した。
【００５４】
実験に使用した捕獲器の大きさ等の条件は次のとおりである。
（イ）芳香貯留部８の容積は５００ｍｌ。
（ロ）２５ｍｌの水に１０ｇの食塩を入れて使用。
（ハ）３質量％メタアルデヒド含有の誘引剤１．５ｇを進入防止スクリーン７に装填。
（ニ）４．５平方ｃｍの開口面積の入口部６を１カ所設置。
【００５５】
この実験で次のことが観察されている。
（イ）設置から４日後に最初の捕獲を観察。
（ロ）ダンゴムシの捕獲は観察されない。
（ハ）設置から約１ヶ月後、水面の一部にカビが発生した。生臭い臭気はあるが腐敗臭はない。ゴキブリが捕獲された。
（ニ）軟体動物は腐敗せず、形は崩れずに残る。
（ホ）設置後約１月、芳香貯留部８を洗浄後に顆粒状食塩を配置すると軟体動物の捕獲を観察。
【００５６】
この実験で次のことが考察できる。
（イ）設置直後は芳香発生量が多いことと、捕獲器の防風構造のため、高濃度芳香の場合は忌避反応により捕獲できない。
（ロ）捕獲開始後１週間程度経過すると新たな捕獲は見られない。捕獲量が多い場合は塩化物によって腐敗を防いでも、軟体動物が忌避する臭気が発生していると推察できる。
（ハ）長期間の放置では捕獲量に伴う塩分濃度低下による腐敗や蛾の鱗粉等により水面に膜ができてカビが発生する場合がある。
（ニ）高濃度の塩化物の防腐作用により腐敗臭を防止し、蝿の繁殖を防止した。
（ホ）設置から約１ヶ月後も有効な芳香が発生した。
【００５７】
誘引剤を０．１ｇとし芳香貯留部８の容積が１００ｍｌ程度の捕獲器を使用した場合は軟体動物とダンゴムシの同時捕獲が観察された。ダンゴムシは軟体動物よりも低い濃度で忌避反応を示すと推察できる。
【図面の簡単な説明】
【００５８】
【図１】本発明の実施形態を示す捕獲器の断面図。
【図２】図１の部分断面図。
【図３】防風通路を設けた捕獲器の断面図。
【図４】図３の部分断面図。
【図５】防風カバーを組み合わせた捕獲器の断面図。
【図６】図５の部分断面図。
【図７】防風カバーに誘引剤装填部、芳香貯留部を設けた捕獲器の断面図。
【図８】図７の部分断面図。
【図９】陶磁器製等防風カバー用捕獲器の断面図。
【図１０】図９の部分断面図。
【図１１】絞りを取り付けた誘引剤装填部蓋４の部分断面図。
【図１２】捕獲器に用いる誘引剤容器の断面図。
【図１３】図１２の部分断面図。
【符号の説明】
【００５９】
１  捕獲器上部
２  捕獲器下部
３  誘引剤装填部
４  誘引剤装填部蓋
５  誘引剤容器
６  入口部
７  進入防止スクリーン
８  芳香貯留部
９  転倒防止用板
１０  防風通路
１１  防風カバー
１２  底蓋
１３  入口
１４  フック
１５  押さえ板
１６  ネジ
１７  誘導路
１８  誘引剤
１９  通気スクリーン
２０  誘引剤容器蓋
２１  絞り
【図１】
2007151538.tif 000003
【図２】
2007151538.tif 000004
【図３】
2007151538.tif 000005
【図４】
2007151538.tif 000006
【図５】
2007151538.tif 000007
【図６】
2007151538.tif 000008
【図７】
2007151538.tif 000009
【図８】
2007151538.tif 000010
【図９】
2007151538.tif 000011
【図１０】
2007151538.tif 000012
【図１１】
2007151538.tif 000013
【図１２】
2007151538.tif 000014
【図１３】
2007151538.tif 000015
【手続補正書】
【提出日】平成18年10月16日(2006.10.16)
【手続補正１】
【補正対象書類名】特許請求の範囲
【補正対象項目名】全文
【補正方法】変更
【補正の内容】
【特許請求の範囲】
【請求項１】
(1)芳香貯留部８に芳香を貯留するために、捕獲器上部１または防風カバー１１の壁または天井にアセトアルデヒドの芳香の発生源であるメタアルデヒドを配合した誘引剤を配置する誘引剤装填部３を設け、または捕獲器上部１または防風カバー１１の芳香貯留部８の壁に誘引剤装填部３を設ける。(2)芳香貯留部８の上方に入口部６を設け、芳香の比重による対流と風による部分的な換気によって芳香貯留部８の上部より下部の芳香の濃度を高くするために、捕獲器上部１の場合は、入口部６を芳香貯留部８の径より狭くすることで換気量を少なくし、または入口部６に風が直接吹き込まないようにできる防風通路１０を有し、防風カバー１１の場合は、防風カバー１１で芳香貯留部８に風が直接吹き込まないように覆い、防風カバー１１に入口１３を設ける。(3)風による部分的な換気により、芳香貯留部８の上部の芳香の濃度が低いことで、軟体動物が芳香を忌避せずに入口部６から入り、誘引剤装填部３に移動でき、誘引剤装填部３から芳香の濃度の高い芳香貯留部８の下部に移動できる構造を有する。(4)芳香を暴露することによる感覚器麻痺の作用と、誘引剤装填部３に配置した誘引剤を摂取することによる感覚器麻痺の作用を使用する。(5)感覚器が麻痺した軟体動物に危険回避を失敗させることと、捕獲した軟体動物を防腐するために１０質量％以上、過飽和または顆粒状の塩化物を芳香貯留部８に配置する。以上のように構成したことを特徴とする軟体動物捕獲器。
【手続補正２】
【補正対象書類名】明細書
【補正対象項目名】全文
【補正方法】変更
【補正の内容】
【発明の詳細な説明】
【技術分野】
【０００１】  この発明は軟体動物捕獲器に関する。
【背景技術】
【０００２】  メタアルデヒドは低濃度のアセトアルデヒドの果実様の芳香を蒸散させて軟体動物を誘引し、摂取すると中毒死する誘引剤として利用されているが、芳香の効果として感覚器麻痺による危険回避能力低下は知られていなかった。また、中毒量の誘引剤を摂取しない場合にも感覚器を麻痺させることで危険回避能力を低下させることで捕獲する方法は知られていなかった。【０００３】  塩は軟体動物が体液分泌反応を生じる物質であり、接触を忌避することが知られているが、軟体動物を防腐する目的で捕獲器には使用されていなかった。【０００４】  塩水や石鹸水に完熟果物や野菜を浮かべて誘引する捕獲器があった（例えば非特許文献１参照。）。  感覚器を麻痺させて駆除する誘引剤があった（例えば特許文献１参照。）。  表面を塩で薄く覆ったボール紙等に誘引剤を置き、塩による脱水死か誘引剤を摂取させ中毒死させる捕獲器があった（例えば特許文献２参照。）。   誘引剤を捕獲器の上部に配置し、捕獲皿で毒剤を摂取させる捕獲器があった。（例えば特許文献３参照。）。  誘引し落下させる装置で水死させる捕獲器があった（例えば特許文献４参照。）。  カバーで遮光し、複数の穴を設けた捕獲器があった（例えば特許文献５参照。）。【０００５】
【非特許文献１】Directions for use The Bait Safe,[online],Rob Harvey Specialist Feeds,[retrieved on 2005-11-3],Retrieved from the Internet:<URL:http://www.robharvey.com/pest-control/slug-control.htm>.
【特許文献１】特開２００２−２７５００４号公報
【特許文献２】ＤＥ１０１５０５６７号公報
【特許文献３】特開平０９−９８７０３号公報
【特許文献４】特開２００２−２７８８８号公報
【特許文献５】ＵＳ５６２２００１号公報
【発明の開示】
【発明が解決しようとする課題】
【０００６】  従来は軟体動物の誘引剤で人やペット、野生生物が中毒を起こす危険があり、軟体動物と誘引剤を処理する際に環境に放出する恐れがあった。捕獲器は数日間隔で洗浄を要し、洗浄漏れがあると腐敗臭を発生し蝿を誘引し繁殖させたり、捕獲器周辺で中毒死し腐敗する場合があった。【０００７】  この発明は、人やペット等が摂取すると中毒を起こす誘引剤を安全に使用し、維持管理手間と消耗品が少なく、捕獲した軟体動物の腐敗臭が発生しない捕獲器を提供することを目的とする。
【課題を解決するための手段】
【０００８】  本発明は上記目的を達成するために、課題解決手段として、(1)芳香貯留部８に芳香を貯留するために、捕獲器上部１または防風カバー１１の壁または天井にアセトアルデヒドの芳香の発生源であるメタアルデヒドを配合した誘引剤を配置する誘引剤装填部３を設け、または捕獲器上部１または防風カバー１１の芳香貯留部８の壁に誘引剤装填部３を設ける。(2)芳香貯留部８の上方に入口部６を設け、芳香の比重による対流と風による部分的な換気によって芳香貯留部８の上部より下部の芳香の濃度を高くするために、捕獲器上部１の場合は、入口部６を芳香貯留部８の径より狭くすることで換気量を少なくし、または入口部６に風が直接吹き込まないようにできる防風通路１０を有し、防風カバー１１の場合は、防風カバー１１で芳香貯留部８に風が直接吹き込まないように覆い、防風カバー１１に入口１３を設ける。(3)風による部分的な換気により、芳香貯留部８の上部の芳香の濃度が低いことで、軟体動物が芳香を忌避せずに入口部６から入り、誘引剤装填部３に移動でき、誘引剤装填部３から芳香の濃度の高い芳香貯留部８の下部に移動できる構造を有する。(4)芳香を暴露することによる感覚器麻痺の作用と、誘引剤装填部３に配置した誘引剤を摂取することによる感覚器麻痺の作用を使用する。(5)感覚器が麻痺した軟体動物に危険回避を失敗させることと、捕獲した軟体動物を防腐するために１０質量％以上、過飽和または顆粒状の塩化物を芳香貯留部８に配置する。以上のように構成したことを特徴とする軟体動物捕獲器を提供する。
【発明の効果】
【０００９】 課題解決手段によれば、芳香貯留部８に溜まった誘引剤の芳香は、軟体動物の感覚器を麻痺させ、危険回避能力を低下させる。また、誘引剤を摂取した軟体動物は感覚器が麻痺し危険回避能力が低下する。危険回避能力の低下のため体液分泌反応を生じる物質との接触で回避に失敗する。軟体動物の体内塩分濃度の倍程度である１質量％以上の濃度の塩化物が体液分泌反応を生じる物質として使用できる。石鹸水等も体液分泌反応を生じさせることができるが、合成洗剤の毒性や難分解性の化学物質である逆性石鹸の場合は土壌汚染や河川等への流入や農作物への付着の危険を考慮する必要がある。【００１０】  軟体動物は感覚器が麻痺して高濃度芳香を浴びたり、長時間芳香を浴びて、動けなくなる。従来は誘引剤の低濃度芳香は誘引作用に利用されてきたが、本発明では芳香貯留部８を設けて、誘引剤の芳香を感覚器麻痺剤として利用する。また、誘引剤を摂取させる場合においても感覚器麻痺剤として感覚器が麻痺すれば良く、中毒死に必要な致死量を摂取させる必要がない。傾斜した棚に置いた粉状の誘引剤に乗り滑り落ちたり、水に浮かべた野菜等に軟体動物が乗ることで沈んだり、軟体動物の自重で回転や変形するなどの装置がなくても捕獲することができる。【００１１】  ただし、芳香放出量が多い場合や必要以上に防風した場合は強い刺激から忌避反応を起こして捕獲器内に軟体動物が入らなくなる。忌避反応を回避するには次の方法がある。（イ）芳香放出量を制限する。（ロ）低濃度芳香で感覚器を麻痺させることで、より高濃度を求めて移動できるように防風構造を形成する。（ハ）誘引剤を入口部６よりも低い位置に配置する。【００１２】  軟体動物と同様に花芽や発芽した芽を食害するダンゴムシも芳香に誘引される。ただし、ダンゴムシは軟体動物よりも低濃度の芳香で忌避反応を示す。ダンゴムシが捕獲される場合は誘引剤の芳香発生量減少の目安とすることも可能である。なお、低濃度芳香の場合で誘引剤を入口部６よりも低い位置に配置したときは軟体動物とダンゴムシの両方を捕獲する場合がある。【００１３】  誘引剤を捕獲器内の上部に配置することで、芳香の比重が空気よりも重いため芳香貯留部８の芳香濃度を上昇させることができる。入口部６を誘引剤より低い位置に設ける場合に、空気が対流して芳香が入口部から流れ出すため、芳香の拡散にも効果がある。誘引剤を芳香貯留部８の壁面などの入口部より低い位置に設ける場合は、空気の対流による捕獲器外への芳香の放出が少なくなるが、捕獲器上部１の芳香濃度は低くなるため捕獲器上部に軟体動物が侵入しやすくなる。この場合は体液分泌反応を生じる物質に軟体動物が接近するため、体液分泌反応を生じる物質と接触する機会が増加する。ただし、誘引剤が体液分泌反応を生じる物質に浸かる恐れがある。【００１４】  誘引剤を捕獲器上部１に配置し、配置した面を天井面にて下向きまたは壁面にて横向きとし摂取させる場合に中毒死した軟体動物は落下するため誘引剤の劣化が少ない。摂取し徘徊する場合は、感覚器麻痺のため、体液分泌反応を生じる物質の回避に失敗し、水死または脱水死する。【００１５】  誘引剤の芳香濃度を適度に維持するために次のような構造を用いる。  ビン構造は入口部６を芳香貯留部８の径より狭くすることで換気量を少なくすることができる。入口部６を１カ所とする場合は複数の場合に生じる換気効果を防止できる。風による部分的な換気と、芳香の比重による対流で、芳香貯留部８の上部を低濃度、下部を高濃度とすることができる。【００１６】  入口部６に開口部が入口部６より低い位置となる防風通路１０を設けることで、芳香貯留部８に風が直接吹き込まないようにできる。防風通路１０の開口部を入口部６より低くすることで芳香が対流するため、軟体動物は芳香貯留部８に移動することができる。【００１７】  防風カバー１１は、捕獲器に直接風があたらないように覆うことで、芳香貯留部８の芳香を保つことができる。入口１３を防風カバー１１の下部に設けて芳香を防風カバー１１の外に拡散させる。芳香濃度は芳香貯留部８の上部を低濃度、芳香貯留部８の下部を高濃度とすることができる。入口１３は複数設けても良い。また、防風カバー１１の上部に誘引剤装填部３を配置し、下に芳香貯留部８を配置しても良い。【００１８】 感覚器麻痺剤を兼ねる誘引剤にはメタアルデヒドを使用できる。メタアルデヒドはゆっくりアセトアルデヒドを放出する。【００１９】  体液分泌反応を生じる物質を兼ねて１０質量％以上、過飽和または顆粒状の塩化物を使用することで捕獲した軟体動物を防腐するものである。１０質量％以上の場合は微生物の増殖を抑制する効果がある。軟体動物の体内塩分濃度の倍程度である１質量％以上の濃度の塩化物も体液分泌反応を生じるが、１０質量％以下の場合は腐敗する。腐敗臭は軟体動物を忌避させ、蝿を誘引し繁殖させる場合がある。イーストを混合した塩水を誘引剤として使用する場合は、発酵させるために腐敗を防ぐ塩化物の濃度では使用されていなかった。石鹸液や塩水にレタス等を浮かべたたり、ビールを使用する捕獲器では腐敗のため数日間隔で洗浄する必要があった。【００２０】  捕獲器設置後の捕獲量の多い時期は１０質量％以上または過飽和の塩化物水溶液を使用する。捕獲量が少なくなった場合は顆粒状の塩化物が使用できる。防腐することで捕獲器の洗浄等の維持管理手間を軽減できる。ただし、蛾等の鱗粉等が塩水面に浮かんだ場合はカビが繁殖する場合があるため、捕獲量が減少した時期であっても月に１回は洗浄することが望ましい。体液分泌反応を生じる物質が水溶液の場合は粘液で覆われた体表を持つ軟体動物の触角が水面に触れることで水面を吸い上げてしまうために回避が難しくなる。【００２１】  塩化物には食塩やにがりが使用できる。天日製塩法による塩の場合は好塩性微生物が混入する場合があるため使用を避ける。１０質量％以上の塩化物は食中毒菌等の耐塩性微生物の繁殖を防ぐことができる。微生物による芳香の分解抑制も期待できる。
【発明を実施するための最良の形態】
【００２２】  以下、本発明の実施の形態を説明する。【００２３】  図１、２は入口部６を芳香貯留部８の径より狭くするビン構造とすることで風の吹き込み量を少なくし、入口部６を１カ所とすることで風よる換気が少ない防風構造を持つ捕獲器の実施形態である。【００２４】  １は捕獲器上部、２は捕獲器下部であり、芳香が漏れないように接続する。【００２５】 ３は誘引剤装填部、５は誘引剤容器、１８は誘引剤、４は誘引剤装填部蓋である。誘引剤装填部蓋４は捕獲器上部１に接続する。【００２６】  ７は進入防止スクリーンであり、誘引剤装填部３から降下する芳香の通気を妨げず、軟体動物が通過できない目の大きさとする。【００２７】  ６は入口部であり、雨水や農作物等への灌水が捕獲器内部に入るのを防ぐ。入口部６の形状により捕獲器内に直接風が吹き込むのを軽減することができる。入口部６が１つの場合は換気を軽減できる。芳香放出量が多い場合は入口部６を複数設けても良い。【００２８】  ８は芳香貯留部であり、誘引剤装填部３から降下する芳香を溜める。芳香貯留部８には塩化物を配置する。軟体動物は芳香貯留部８に溜めた芳香による感覚器の麻痺のため、危険回避能力が低下した状態で徘徊し、塩化物に接触し脱水死または水死する。【００２９】  捕獲量が多い時期は１０質量％以上の濃度を保つために塩化物を追加しておく。捕獲量が減少した場合は芳香貯留部８に顆粒状の塩化物が使用できる。【００３０】  芳香貯留部８の容積が５００ｍｌの例では、食塩を塩化物として使用する場合は５０ｍｌの水に対し、２０ｇの食塩を入れて過飽和食塩水とする。水位が容積の４０％の位置に達した場合は塩化物の濃度が１０質量％に低下して腐敗の危険が生じるため、捕獲した軟体動物を処分し洗浄する。５ｇの食塩では水位が容積の１０％の位置に達した場合は腐敗の危険が生じる。水溶液が濁った場合や捕獲した軟体動物が吸水して膨らんだ場合は腐敗の恐れがあるため軟体動物を処分し洗浄する。【００３１】  芳香貯留部８は捕獲器下部２から取り出し洗浄することができる。芳香貯留部８と捕獲器下部２は一体形成でも良い。芳香貯留部８に配置する塩化物が周辺土壌に混入した場合は、農作物によっては生育に影響が出る場合があるため、廃棄は適切に処理する必要がある。【００３２】  ９は転倒防止用板であり、底辺を広げることで転倒を防止する。捕獲器下部を土に埋めて設置する場合は引き抜き抵抗を生じるため、安定して設置できる。この場合、入口部６の地上高が低くなるため、ダンゴムシが捕獲器内に進入しやすくなる。【００３３】  進入防止スクリーン７や誘引剤容器５のかわりに誘引剤をのり等で固定し軟体動物が摂取できるように下向きまたは横向きに配置することもできる。摂取し中毒死した軟体動物は落下する。摂取により感覚器が麻痺した場合は塩化物の回避に失敗する。極少量の誘引剤を配置する限定的な使用が望ましい。【００３４】  図３、４は図１、２に示す実施形態の捕獲器に、芳香貯留部８の芳香が風で拡散するのを軽減するために入口部６に防風通路を設けた実施形態である。１０は防風通路である。【００３５】  図５、６は捕獲器を覆う防風カバー１１を設置した実施形態である。１１は防風カバーである。１２は防風カバーの底蓋である。１３は防風カバー１１内に軟体動物が入る入口である。防風カバー１１の底蓋１２と芳香貯留部８は一体形成でも良い。【００３６】  図７、８は防風カバー１１の内部に誘引剤装填部３を固定し、その下に入口部６のスリットを設けた芳香貯留部８を配置した実施形態である。ただし、誘引剤装填部３の壁面と芳香貯留部８の上端は隙間を無くし、軟体動物が芳香貯留部８に移動できるように配置する。【００３７】  誘引剤装填部３を捕獲器の内部に形成することで、ペット等による破壊が困難となる。この装填方法は図１から図６の実施形態においても採用できる。【００３８】  防風カバー１１の形状の例としては、内部に捕獲器を構成できる空間があれば良いため、庭を飾るオブジェとして人、動物、家、乗物、切り株、岩など任意の形態とすることができる。【００３９】  図９、１０は陶磁器製などの防風カバーの内部に取り付けて使用する捕獲器である。１４はフック。１５は押さえ板、１６はネジである。防風カバーの内部に捕獲器を取り付ける突起を設けて、固定する。１７は誘導路である。陶磁器製などのカバーへの捕獲器の取り付け位置により芳香貯留部８が地面から離れてしまう場合に、軟体動物が捕獲器に移行するための通路である。柔軟な材質とし、地面から芳香貯留部８までの距離にあわせる。【００４０】 図１１は図７から図１０の誘引剤装填部蓋４である。【００４１】  図１２、１３は捕獲器に用いる誘引剤容器５の説明図である。【００４２】  １９は通気スクリーンである。通気性があり、細かな穴の開いた板または網、不織布等を用いる。【００４３】  ２０は誘引剤容器蓋である。誘引剤容器５を装填するときに取り除く。通気性のないフィルムなどを開口部に粘着剤等で固定し、保管中に薬剤が蒸散するのを防ぐ。【００４４】  １８は誘引剤である。また、誘引剤容器５と誘引剤装填部蓋４とを一体形成して誘引剤を直接装填しても良い。【００４５】  誘引剤１８はメタアルデヒドを主剤とする。吸湿し、カビ発生や酵母、乳酸菌発酵しやすい有機物はメタアルデヒドの消耗を早めるので混合しない方が望ましい。成形加工の便のために粘土類を混合しても良い。芳香放出量が多過ぎる場合は軟体動物を忌避させるため、長期に渡り緩やかに芳香を放出するように加工する場合は多孔質材料の混合を少なくし、グリセリン等の増粘剤の混合により芳香発生量を調整する。なお、ペット等の摂取防止に催吐剤等を配合しても良い。ただし、軟体動物が忌避する臭気のないものとする。【００４６】  図１から図１０に示す捕獲器では誘引剤装填部３を天井面に取り付けた図示であるが、芳香貯留部８の壁面に設けても良い。この場合は誘引剤が体液分泌反応を生じる物質と接近するため軟体動物が接触する機会が増加する。また、誘引剤容器５を使用せずに、図１、２に示す進入防止スクリーン７に市販の誘引剤を装填する場合も軟体動物を捕獲することができる。なお、誘引剤の装填量は極少量にとどめることが望ましい。【００４７】  捕獲器の材質や塗料等は軟体動物が忌避するホルムアルデヒド等を含まないかまたは影響がないものを用いる。アセトアルデヒドは腐食性ガスであるため、銅等の金属材料は使用を避ける。【００４８】  換気窓や排気ファンな��の近くは捕獲器の設置を避ける。風の凪いだ状態では、芳香はより低い方に流れるため、捕獲器は地表凸部への設置が望ましい。
【実施例】
【００４９】  図１、２を簡略化した実験用捕獲器を用いて、捕獲した軟体動物を処理せずに約１ヶ月放置する実験を行った。設置から約１ヶ月後、誘引剤は替えずに、芳香貯留部８を洗浄し、２０ｇの顆粒状食塩を配置し同一設置場所に設置した。【００５０】  実験に使用した捕獲器の大きさ等の条件は次のとおりである。（イ）芳香貯留部８の容積は５００ｍｌ。（ロ）２５ｍｌの水に１０ｇの食塩を入れて使用。（ハ）３質量％メタアルデヒド含有の誘引剤１．５ｇを進入防止スクリーン７に装填。（ニ）４．５平方ｃｍの開口面積の入口部６を１カ所設置。【００５１】  この実験で次のことが観察されている。（イ）設置から４日後に最初の捕獲を観察。（ロ）ダンゴムシの捕獲は観察されない。（ハ）設置から約１ヶ月後、水面の一部にカビが発生した。生臭い臭気はあるが腐敗臭はない。ゴキブリが捕獲された。（ニ）軟体動物は腐敗せず、形は崩れずに残る。（ホ）設置後約１月、芳香貯留部８を洗浄後に顆粒状食塩を配置すると軟体動物の捕獲を観察。【００５２】  この実験で次のことが考察できる。（イ）設置直後は芳香発生量が多いことと、捕獲器の防風構造のため、高濃度芳香の場合は忌避反応により捕獲できない。（ロ）捕獲開始後１週間程度経過すると新たな捕獲は見られない。捕獲量が多い場合は塩化物によって腐敗を防いでも、軟体動物が忌避する臭気が発生していると推察できる。（ハ）長期間の放置では捕獲量に伴う塩分濃度低下による腐敗や蛾の鱗粉等により水面に膜ができてカビが発生する場合がある。（ニ）高濃度の塩化物の防腐作用により腐敗臭を防止し、蝿の繁殖を防止した。（ホ）設置から約１ヶ月後も有効な芳香が発生した。【００５３】  誘引剤を０．１ｇとし芳香貯留部８の容積が１００ｍｌ程度の捕獲器を使用した場合は軟体動物とダンゴムシの同時捕獲が観察された。ダンゴムシは軟体動物よりも低い濃度で忌避反応を示すと推察できる。
【図面の簡単な説明】
【００５４】
【図１】本発明の実施形態を示す捕獲器の断面図。
【図２】図１の部分断面図。
【図３】防風通路を設けた捕獲器の断面図。
【図４】図３の部分断面図。
【図５】防風カバーを組み合わせた捕獲器の断面図。
【図６】図５の部分断面図。
【図７】防風カバーに誘引剤装填部、芳香貯留部を設けた捕獲器の断面図。
【図８】図７の部分断面図。
【図９】陶磁器製等防風カバー用捕獲器の断面図。
【図１０】図９の部分断面図。
【図１１】誘引剤装填部蓋４の部分断面図。
【図１２】捕獲器に用いる誘引剤容器の断面図。
【図１３】図１２の部分断面図。
【符号の説明】
【００５５】        １  捕獲器上部        ２  捕獲器下部        ３  誘引剤装填部        ４  誘引剤装填部蓋        ５  誘引剤容器        ６  入口部        ７  進入防止スクリーン        ８  芳香貯留部        ９  転倒防止用板      １０  防風通路      １１  防風カバー      １２  底蓋      １３  入口      １４  フック      １５  押さえ板      １６  ネジ      １７  誘導路      １８  誘引剤      ２０  誘引剤容器蓋
【手続補正４】
【補正対象書類名】図面
【補正対象項目名】全図
【補正方法】変更
【補正の内容】
【図１】
2007151538.tif 000016
【図２】
2007151538.tif 000017
【図３】
2007151538.tif 000018
【図４】
2007151538.tif 000019
【図５】
2007151538.tif 000020
【図６】
2007151538.tif 000021
【図７】
2007151538.tif 000022
【図８】
2007151538.tif 000023
【図９】
2007151538.tif 000024
【図１０】
2007151538.tif 000025
【図１１】
2007151538.tif 000026
【図１２】
2007151538.tif 000027
【図１３】
2007151538.tif 000028
【手続補正書】
【提出日】平成19年2月28日(2007.2.28)
【手続補正１】
【補正対象書類名】特許請求の範囲
【補正対象項目名】全文
【補正方法】変更
【補正の内容】
【特許請求の範囲】
【請求項１】
(1)捕獲器内の上部にアセトアルデヒドの芳香の発生源であるメタアルデヒドを配合した誘引剤を配置する誘引剤装填部３を設け、あるいは芳香貯留部８の壁に誘引剤装填部３を設ける。
(2)芳香貯留部８の上方に入口部６を設ける。
(3)芳香の比重による対流と風による部分的な換気によって芳香貯留部８の上部より下部の芳香の濃度を高くするために、入口部６を芳香貯留部８の径より狭くすることで換気量を少なくする構造または芳香貯留部８に直接風があたらないように覆う構造を有する。
(4)風による部分的な換気により、芳香貯留部８の上部の芳香の濃度が低いことで、軟体動物が芳香を忌避せずに入口部６から入り、誘引剤装填部３から芳香の濃度の高い芳香貯留部８の下部に移動できる構造を有する。
(5)芳香を暴露することによる感覚器麻痺の作用と、誘引剤装填部３に配置した誘引剤を摂取することによる感覚器麻痺の作用を使用する。
(6)感覚器が麻痺した軟体動物に危険回避を失敗させることと、捕獲した軟体動物を防腐するために１０質量％以上、過飽和もしくは顆粒状の塩化物を芳香貯留部８に配置する。
以上のように構成したことを特徴とする軟体動物捕獲器。
【手続補正２】
【補正対象書類名】明細書
【補正対象項目名】全文
【補正方法】変更
【補正の内容】
【発明の詳細な説明】
【技術分野】
【０００１】
この発明は軟体動物捕獲器に関する。
【背景技術】
【０００２】
メタアルデヒドは低濃度のアセトアルデヒドの果実様の芳香を蒸散させて軟体動物を誘引し、摂取すると中毒死する誘引剤として利用されているが、芳香の効果として感覚器麻痺による危険回避能力低下は知られていなかった。また、中毒量の誘引剤を摂取しない場合にも感覚器を麻痺させることで危険回避能力を低下させることで捕獲する方法は知られていなかった。
【０００３】
塩は軟体動物が体液分泌反応を生じる物質であり、接触を忌避することが知られているが、軟体動物を防腐する目的で捕獲器には使用されていなかった。
【０００４】
塩水や石鹸水に完熟果物や野菜を浮かべて誘引する捕獲器があった（例えば非特許文献１参照。）。
感覚器を麻痺させて駆除する誘引剤があった（例えば特許文献１参照。）。
表面を塩で薄く覆ったボール紙等に誘引剤を置き、塩による脱水死か誘引剤を摂取させ中毒死させる捕獲器があった（例えば特許文献２参照。）。 
誘引剤を捕獲器の上部に配置し、捕獲皿で毒剤を摂取させる捕獲器があった。（例えば特許文献３参照。）。
誘引し落下させる装置で水死させる捕獲器があった（例えば特許文献４参照。）。
カバーで遮光し、複数の穴を設けた捕獲器があった（例えば特許文献５参照。）。
【０００５】
【非特許文献１】Directions for use The Bait Safe,[online],Rob Harvey Specialist Feeds,[retrieved on 2005-11-3],Retrieved from the Internet:<URL:http://www.robharvey.com/pest-control/slug-control.htm>.
【特許文献１】特開２００２−２７５００４号公報
【特許文献２】ＤＥ１０１５０５６７号公報
【特許文献３】特開平０９−９８７０３号公報
【特許文献４】特開２００２−２７８８８号公報
【特許文献５】ＵＳ５６２２００１号公報
【発明の開示】
【発明が解決しようとする課題】
【０００６】
従来は軟体動物の誘引剤で人やペット、野生生物が中毒を起こす危険があり、軟体動物と誘引剤を処理する際に環境に放出する恐れがあった。捕獲器は数日間隔で洗浄を要し、洗浄漏れがあると腐敗臭を発生し蝿を誘引し繁殖させたり、捕獲器周辺で中毒死し腐敗する場合があった。
【０００７】
この発明は、人やペット等が摂取すると中毒を起こす誘引剤を安全に使用し、維持管理手間と消耗品が少なく、捕獲した軟体動物の腐敗臭が発生しない捕獲器を提供することを目的とする。
【課題を解決するための手段】
【０００８】
本発明は上記目的を達成するために、第１の課題解決手段として、感覚器麻痺剤を兼ねる誘引剤によって軟体動物の感覚器を麻痺させることで危険回避能力を低下させ体液分泌反応を生じる物質の回避を失敗させるために、捕獲器内に配置した誘引剤を軟体動物に摂取させるか、芳香貯留部８に溜まった誘引剤の芳香を暴露させるか、もしくは併用する軟体動物捕獲器を提供する。
【０００９】
第２の課題解決手段は、メタアルデヒドやパラアルデヒド、エタノールを単独もしくは組み合わせて感覚器麻痺剤を兼ねる誘引剤として使用するものである。
【００１０】
第３の課題解決手段は、体液分泌反応を生じる物質を兼ねて捕獲した軟体動物を防腐するために１０質量％以上、過飽和もしくは顆粒状の塩化物を使用するものである。
【００１１】
第４の課題解決手段は、開口部に通気スクリーン１９を設けた誘引剤容器５を使用するものである。
【発明の効果】
【００１２】
第１の課題解決手段によれば、芳香貯留部８に溜まった誘引剤の芳香は、軟体動物の感覚器を麻痺させ、危険回避能力を低下させる。また、誘引剤を摂取した軟体動物は感覚器が麻痺し危険回避能力が低下する。危険回避能力の低下のため体液分泌反応を生じる物質との接触で回避に失敗する。軟体動物の体内塩分濃度の倍程度である１質量％以上の濃度の塩化物が体液分泌反応を生じる物質として使用できる。石鹸水等も体液分泌反応を生じさせることができるが、合成洗剤の毒性や難分解性の化学物質である逆性石鹸の場合は土壌汚染や河川等への流入や農作物への付着の危険を考慮する必要がある。
【００１３】
軟体動物は感覚器が麻痺して高濃度芳香を浴びたり、長時間芳香を浴びて、動けなくなる。従来は誘引剤の低濃度芳香は誘引作用に利用されてきたが、本発明では芳香貯留部８を設けて、誘引剤の芳香を感覚器麻痺剤として利用する。また、誘引剤を摂取させる場合においても感覚器麻痺剤として感覚器が麻痺すれば良く、中毒死に必要な致死量を摂取させる必要がない。傾斜した棚に置いた粉状の誘引剤に乗り滑り落ちたり、水に浮かべた野菜等に軟体動物が乗ることで沈んだり、軟体動物の自重で回転や変形するなどの装置がなくても捕獲することができる。
【００１４】
ただし、芳香放出量が多い場合や必要以上に防風した場合は強い刺激から忌避反応を起こして捕獲器内に軟体動物が入らなくなる。忌避反応を回避するには次の方法がある。
（イ）芳香放出量を制限する。
（ロ）低濃度芳香で感覚器を麻痺させることで、より高濃度を求めて移動できるように防風構造を形成する。
（ハ）誘引剤を入口部６よりも低い位置に配置する。
【００１５】
軟体動物と同様に花芽や発芽した芽を食害するダンゴムシも芳香に誘引される。ただし、ダンゴムシは軟体動物よりも低濃度の芳香で忌避反応を示す。ダンゴムシが捕獲される場合は誘引剤の芳香発生量減少の目安とすることも可能である。なお、低濃度芳香の場合で誘引剤を入口部６よりも低い位置に配置したときは軟体動物とダンゴムシの両方を捕獲する場合がある。
【００１６】
誘引剤を捕獲器内の上部に配置することで、芳香の比重が空気よりも重いため芳香貯留部８の芳香濃度を上昇させることができる。入口部６を誘引剤より低い位置に設ける場合に、空気が対流して芳香が入口部から流れ出すため、芳香の拡散にも効果がある。誘引剤を芳香貯留部８の壁面などの入口部より低い位置に設ける場合は、空気の対流による捕獲器外への芳香の放出が少なくなるが、捕獲器上部１の芳香濃度は低くなるため捕獲器上部に軟体動物が侵入しやすくなる。この場合は体液分泌反応を生じる物質に軟体動物が接近するため、体液分泌反応を生じる物質と接触する機会が増加する。ただし、誘引剤が体液分泌反応を生じる物質に浸かる恐れがある。
【００１７】
誘引剤を捕獲器上部１に配置し、配置した面を天井面にて下向きもしくは壁面にて横向きとし摂取させる場合に中毒死した軟体動物は落下するため誘引剤の劣化が少ない。摂取し徘徊する場合は、感覚器麻痺のため、体液分泌反応を生じる物質の回避に失敗し、水死もしくは脱水死する。
【００１８】
誘引剤の芳香濃度を適度に維持するために次のような構造を用いる。
ビン構造は入口部６を芳香貯留部８の径より狭くすることで換気量を少なくすることができる。入口部６を１カ所とする場合は複数の場合に生じる換気効果を防止できる。風による部分的な換気と、芳香の比重による対流で、芳香貯留部８の上部を低濃度、下部を高濃度とすることができる。
【００１９】
入口部６に開口部が入口部６より低い位置となる防風通路１０を設けることで、芳香貯留部８に風が直接吹き込まないようにできる。防風通路１０の開口部を入口部６より低くすることで芳香が対流するため、軟体動物は芳香貯留部８に移動することができる。
【００２０】
防風カバー１１は、捕獲器に直接風があたらないように覆うことで、芳香貯留部８の芳香を保つことができる。入口１３を防風カバー１１の下部に設けて芳香を防風カバー１１の外に拡散させる。芳香濃度は芳香貯留部８の上部を低濃度、芳香貯留部８の下部を高濃度とすることができる。入口１３は複数設けても良い。また、防風カバー１１の上部に誘引剤装填部３を配置し、下に芳香貯留部８を配置しても良い。
【００２１】
第２の課題解決手段によれば、感覚器麻痺剤を兼ねる誘引剤にはメタアルデヒドやパラアルデヒドもしくはエタノールを単独もしくは組み合わせて使用できる。メタアルデヒドやパラアルデヒドはゆっくりアセトアルデヒドを放出する。エタノールは感覚器や呼吸器もしくは体表から吸収されて体内で分解されアセトアルデヒドとなる。エタノールは蒸散しやすいため透過膜を介してゆっくり蒸散させる等の工夫が必要となる。なお、芳香性のある化合物は感覚器麻痺作用のあるものが多いが、毒性や難分解性などで農業資材として不適切なものは用いないことが望ましい。
【００２２】
第３の課題解決手段によれば、体液分泌反応を生じる物質を兼ねて１０質量％以上、過飽和もしくは顆粒状の塩化物を使用することで捕獲した軟体動物を防腐するものである。１０質量％以上の場合は微生物の増殖を抑制する効果がある。軟体動物の体内塩分濃度の倍程度である１質量％以上の濃度の塩化物も体液分泌反応を生じるが、１０質量％以下の場合は腐敗する。腐敗臭は軟体動物を忌避させ、蝿を誘引し繁殖させる場合がある。イーストを混合した塩水を誘引剤として使用する場合は、発酵させるために腐敗を防ぐ塩化物の濃度では使用されていなかった。石鹸液や塩水にレタス等を浮かべたたり、ビールを使用する捕獲器では腐敗のため数日間隔で洗浄する必要があった。
【００２３】
捕獲器設置後の捕獲量の多い時期は１０質量％以上もしくは過飽和の塩化物水溶液を使用する。捕獲量が少なくなった場合は顆粒状の塩化物が使用できる。防腐することで捕獲器の洗浄等の維持管理手間を軽減できる。ただし、蛾等の鱗粉等が塩水面に浮かんだ場合はカビが繁殖する場合があるため、捕獲量が減少した時期であっても月に１回は洗浄することが望ましい。体液分泌反応を生じる物質が水溶液の場合は粘液で覆われた体表を持つ軟体動物の触角が水面に触れることで水面を吸い上げてしまうために回避が難しくなる。
【００２４】
塩化物には食塩やにがりが使用できる。天日製塩法による塩の場合は好塩性微生物が混入する場合があるため使用を避ける。１０質量％以上の塩化物は食中毒菌等の耐塩性微生物の繁殖を防ぐことができる。微生物による芳香の分解抑制も期待できる。
【００２５】
第４の課題解決手段によれば、開口部に通気スクリーン１９を設けた誘引剤容器５を使用することで次の効果が得られる。
（イ）装填、交換時に手指に誘引剤が付着しないため、農作物等の汚染を防ぐ。
（ロ）誘引剤をペット等が摂取できないため中毒を防ぐ。
（ハ）軟体動物の体液等による誘引剤の劣化を防ぐ。
（ニ）誘引剤を容器から出さないことで河川等への流出を防ぐ。
（ホ）誘引剤を摂取させないため、誘引剤の装填量を削減できる。
【発明を実施するための最良の形態】
【００２６】
以下、本発明の実施の形態を説明する。
【００２７】
図１、２は入口部６を芳香貯留部８の径より狭くするビン構造とすることで風の吹き込み量を少なくし、入口部６を１カ所とすることで風よる換気が少ない防風構造を持つ捕獲器の実施形態である。
【００２８】
１は捕獲器上部、２は捕獲器下部であり、芳香が漏れないように接続する。
【００２９】
３は誘引剤装填部、５は誘引剤容器、１８は誘引剤、１９は通気スクリーン、４は誘引剤装填部蓋である。誘引剤装填部蓋４は捕獲器上部１に接続する。
【００３０】
７は進入防止スクリーンであり、誘引剤装填部３から降下する芳香の通気を妨げず、軟体動物が通過できない目の大きさとする。
【００３１】
６は入口部であり、雨水や農作物等への灌水が捕獲器内部に入るのを防ぐ。入口部６の形状により捕獲器内に直接風が吹き込むのを軽減することができる。入口部６が１つの場合は換気を軽減できる。芳香放出量が多い場合は入口部６を複数設けても良い。
【００３２】
８は芳香貯留部であり、誘引剤装填部３から降下する芳香を溜める。芳香貯留部８には塩化物を配置する。軟体動物は芳香貯留部８に溜めた芳香による感覚器の麻痺のため、危険回避能力が低下した状態で徘徊し、塩化物に接触し脱水死もしくは水死する。
【００３３】
捕獲量が多い時期は１０質量％以上の濃度を保つために塩化物を追加しておく。捕獲量が減少した場合は芳香貯留部８に顆粒状の塩化物が使用できる。
【００３４】
芳香貯留部８の容積が５００ｍｌの例では、食塩を塩化物として使用する場合は５０ｍｌの水に対し、２０ｇの食塩を入れて過飽和食塩水とする。水位が容積の４０％の位置に達した場合は塩化物の濃度が１０質量％に低下して腐敗の危険が生じるため、捕獲した軟体動物を処分し洗浄する。５ｇの食塩では水位が容積の１０％の位置に達した場合は腐敗の危険が生じる。水溶液が濁った場合や捕獲した軟体動物が吸水して膨らんだ場合は腐敗の恐れがあるため軟体動物を処分し洗浄する。
【００３５】
芳香貯留部８は捕獲器下部２から取り出し洗浄することができる。芳香貯留部８と捕獲器下部２は一体形成でも良い。芳香貯留部８に配置する塩化物が周辺土壌に混入した場合は、農作物によっては生育に影響が出る場合があるため、廃棄は適切に処理する必要がある。
【００３６】
９は転倒防止用板であり、底辺を広げることで転倒を防止する。捕獲器下部を土に埋めて設置する場合は引き抜き抵抗を生じるため、安定して設置できる。この場合、入口部６の地上高が低くなるため、ダンゴムシが捕獲器内に進入しやすくなる。
【００３７】
進入防止スクリーン７や誘引剤容器５のかわりに誘引剤をのり等で固定し軟体動物が摂取できるように下向きもしくは横向きに配置することもできる。摂取し中毒死した軟体動物は落下する。摂取により感覚器が麻痺した場合は塩化物の回避に失敗する。誘引剤を摂取できる捕獲器の場合は極少量の誘引剤を配置する限定的な使用が望ましい。
【００３８】
図３、４は図１、２に示す実施形態の捕獲器に、芳香貯留部８の芳香が風で拡散するのを軽減するために入口部６に防風通路を設けた実施形態である。１０は防風通路である。
【００３９】
図５、６は捕獲器を覆う防風カバー１１を設置した実施形態である。１１は防風カバーである。１２は防風カバーの底蓋である。１３は防風カバー１１内に軟体動物が入る入口である。防風カバー１１の底蓋１２と芳香貯留部８は一体形成でも良い。
【００４０】
図７、８は防風カバー１１の内部に誘引剤装填部３を固定し、その下に入口部６のスリットを設けた芳香貯留部８を配置した実施形態である。ただし、誘引剤装填部３の壁面と芳香貯留部８の上端は隙間を無くし、軟体動物が芳香貯留部８に移動できるように配置する。
【００４１】
誘引剤装填部３を捕獲器の内部に形成することで、ペット等による破壊が困難となる。この装填方法は図１から図６の実施形態においても採用できる。
【００４２】
防風カバー１１の形状の例としては、内部に捕獲器を構成できる空間があれば良いため、庭を飾るオブジェとして人、動物、家、乗物、切り株、岩など任意の形態とすることができる。
【００４３】
図９、１０は陶磁器製などの防風カバーの内部に取り付けて使用する捕獲器である。１４はフック。１５は押さえ板、１６はネジである。防風カバーの内部に捕獲器を取り付ける突起を設けて、固定する。１７は誘導路である。陶磁器製などのカバーへの捕獲器の取り付け位置により芳香貯留部８が地面から離れてしまう場合に、軟体動物が捕獲器に移行するための通路である。柔軟な材質とし、地面から芳香貯留部８までの距離にあわせる。
【００４４】
図１１は図７から図１０の誘引剤装填部蓋４に芳香放出量調整用の絞りを取り付けた例である。
２１は絞りである。通気部と遮蔽部との組み合わせによって芳香放出量の多い誘引剤容器５の場合の芳香放出量の調整に用いる。誘引剤容器５を装填後、数日間は絞り２１を絞ることで忌避反応が生じないようにする。
【００４５】
図１２、１３は捕獲器に用いる誘引剤容器５の説明図である。
【００４６】
１９は通気スクリーンである。通気性があり、細かな穴の開いた板もしくは網、不織布等を用いる。
【００４７】
２０は誘引剤容器蓋である。誘引剤容器５を装填するときに取り除く。通気性のないフィルムなどを開口部に粘着剤等で固定し、保管中に薬剤が蒸散するのを防ぐ。
【００４８】
１８は誘引剤である。誘引剤容器５への具体的な誘引剤１８の充填手法の一例は、
（イ）樹脂を原料に布もしくは不織布の袋を作り誘引剤を封入する。
（ロ）（イ）の袋を誘引剤容器５に熱溶接等し固定する。
（ハ）通気スクリーン１９として網状の樹脂を誘引剤容器５の開口部に熱溶接等する。
（ニ）誘引剤容器５の開口部に粘着剤等で誘引剤容器蓋２０を取り付ける。
以上のごとく誘引剤に直接触れることのない誘引剤容器５を構成する。また、誘引剤容器５と誘引剤装填部蓋４とを一体形成して誘引剤を直接装填し、通気スクリーン１９を設けても良い。
【００４９】
誘引剤１８はメタアルデヒドを主剤とする。吸湿し、カビ発生や酵母、乳酸菌発酵しやすい有機物はメタアルデヒドの消耗を早めるので混合しない方が望ましい。成形加工の便のために粘土類を混合しても良い。芳香放出量が多過ぎる場合は軟体動物を忌避させるため、長期に渡り緩やかに芳香を放出するように加工する場合は多孔質材料の混合を少なくし、グリセリン等の増粘剤の混合により芳香発生量を調整する。なお、ペット等の摂取防止に催吐剤等を配合しても良い。ただし、軟体動物が忌避する臭気のないものとする。
【００５０】
図１から図１０に示す捕獲器では誘引剤装填部３を天井面に取り付けた図示であるが、芳香貯留部８の壁面に設けても良い。この場合は誘引剤が体液分泌反応を生じる物質と接近するため軟体動物が接触する機会が増加する。また、誘引剤容器５を使用せずに、図１、２に示す進入防止スクリーン７に市販の誘引剤を装填する場合も軟体動物を捕獲することができる。なお、軟体動物が誘引剤を摂取できる捕獲器とする場合は、誘引剤の装填量は極少量にとどめることが望ましい。
【００５１】
捕獲器の材質や塗料等は軟体動物が忌避するホルムアルデヒド等を含まないかもしくは影響がないものを用いる。アセトアルデヒドは腐食性ガスであるため、銅等の金属材料は使用を避ける。
【００５２】
換気窓や排気ファンなどの近くは捕獲器の設置を避ける。風の凪いだ状態では、芳香はより低い方に流れるため、捕獲器は地表凸部への設置が望ましい。
【実施例】
【００５３】
図１、２を簡略化した実験用捕獲器を用いて、捕獲した軟体動物を処理せずに約１ヶ月放置する実験を行った。設置から約１ヶ月後、誘引剤は替えずに、芳香貯留部８を洗浄し、２０ｇの顆粒状食塩を配置し同一設置場所に設置した。
【００５４】
実験に使用した捕獲器の大きさ等の条件は次のとおりである。
（イ）芳香貯留部８の容積は５００ｍｌ。
（ロ）２５ｍｌの水に１０ｇの食塩を入れて使用。
（ハ）３質量％メタアルデヒド含有の誘引剤１．５ｇを進入防止スクリーン７に装填。
（ニ）４．５平方ｃｍの開口面積の入口部６を１カ所設置。
【００５５】
この実験で次のことが観察されている。
（イ）設置から４日後に最初の捕獲を観察。
（ロ）ダンゴムシの捕獲は観察されない。
（ハ）設置から約１ヶ月後、水面の一部にカビが発生した。生臭い臭気はあるが腐敗臭はない。ゴキブリが捕獲された。
（ニ）軟体動物は腐敗せず、形は崩れずに残る。
（ホ）設置後約１月、芳香貯留部８を洗浄後に顆粒状食塩を配置すると軟体動物の捕獲を観察。
【００５６】
この実験で次のことが考察できる。
（イ）設置直後は芳香発生量が多いことと、捕獲器の防風構造のため、高濃度芳香の場合は忌避反応により捕獲できない。
（ロ）捕獲開始後１週間程度経過すると新たな捕獲は見られない。捕獲量が多い場合は塩化物によって腐敗を防いでも、軟体動物が忌避する臭気が発生していると推察できる。
（ハ）長期間の放置では捕獲量に伴う塩分濃度低下による腐敗や蛾の鱗粉等により水面に膜ができてカビが発生する場合がある。
（ニ）高濃度の塩化物の防腐作用により腐敗臭を防止し、蝿の繁殖を防止した。
（ホ）設置から約１ヶ月後も有効な芳香が発生した。
【００５７】
誘引剤を０．１ｇとし芳香貯留部８の容積が１００ｍｌ程度の捕獲器を使用した場合は軟体動物とダンゴムシの同時捕獲が観察された。ダンゴムシは軟体動物よりも低い濃度で忌避反応を示すと推察できる。
【図面の簡単な説明】
【００５８】
【図１】本発明の実施形態を示す捕獲器の断面図。
【図２】図１の部分断面図。
【図３】防風通路を設けた捕獲器の断面図。
【図４】図３の部分断面図。
【図５】防風カバーを組み合わせた捕獲器の断面図。
【図６】図５の部分断面図。
【図７】防風カバーに誘引剤装填部、芳香貯留部を設けた捕獲器の断面図。
【図８】図７の部分断面図。
【図９】陶磁器製等防風カバー用捕獲器の断面図。
【図１０】図９の部分断面図。
【図１１】絞りを取り付けた誘引剤装填部蓋４の部分断面図。
【図１２】捕獲器に用いる誘引剤容器の断面図。
【図１３】図１２の部分断面図。
【符号の説明】
【００５９】
１  捕獲器上部
２  捕獲器下部
３  誘引剤装填部
４  誘引剤装填部蓋
５  誘引剤容器
６  入口部
７  進入防止スクリーン
８  芳香貯留部
９  転倒防止用板
１０  防風通路
１１  防風カバー
１２  底蓋
１３  入口
１４  フック
１５  押さえ板
１６  ネジ
１７  誘導路
１８  誘引剤
１９  通気スクリーン
２０  誘引剤容器蓋
２１  絞り
【手続補正３】
【補正対象書類名】図面
【補正対象項目名】全図
【補正方法】変更
【補正の内容】
【図１】
2007151538.tif 000029
【図２】
2007151538.tif 000030
【図３】
2007151538.tif 000031
【図４】
2007151538.tif 000032
【図５】
2007151538.tif 000033
【図６】
2007151538.tif 000034
【図７】
2007151538.tif 000035
【図８】
2007151538.tif 000036
【図９】
2007151538.tif 000037
【図１０】
2007151538.tif 000038
【図１１】
2007151538.tif 000039
【図１２】
2007151538.tif 000040
【図１３】
2007151538.tif 000041